(57)【要約】【課題】激流の津波や周囲の火災に遭遇した場合にも、シェルター内部の安全性が高い津波シェルターを提供する。【解決手段】シェルター本体２が地面に掘られた穴に設置される。シェルター本体２は、側面に設けられた側部出入口から人を収容可能で密閉可能である。シェルター本体２は側部出入口の前方を除いて盛土３により覆われる。シェルター本体２は天井部に上部出入口を有する。シェルター本体２は底部に側面より外側に突出する張出部を有する。【選択図】図１
0003193067.tif 000002
【実用新案登録請求の範囲】
【請求項１】
地面に掘られた穴に設置される、出入口から人を収容可能で密閉可能なシェルター本体を、前記出入口の前方を除いて盛土により半地下状態、地下状態または地上盛土状態で覆って成る津波シェルター。
【請求項２】
前記出入口は前記シェルター本体の側面に設けられ、前記シェルター本体の天井部に上部出入口を有する請求項１記載の津波シェルター。
【請求項３】
前記シェルター本体の底部に側面より外側に突出する張出部を有する請求項１または２記載の津波シェルター。
【考案の詳細な説明】
【技術分野】
【０００１】
本考案は、津波シェルターに関する。
【背景技術】
【０００２】
従来、建物の屋根部がシェルターで形成され、居住部の上方にシェルターが配置された津波シェルターが知られている（例えば、特許文献１参照）。
【先行技術文献】
【特許文献】
【０００３】
【特許文献１】特開2012-233306号公報
【考案の概要】
【考案が解決しようとする課題】
【０００４】
しかしながら、特許文献１に記載の津波シェルターは、居住部からシェルターを分離させて、シェルター本体を水面に浮上させる構造のため、シェルターがどこに流されるかわからず、激流の津波に巻き込まれた場合には、シェルターがきりもみ状態になり、内部の避難者が危険であることが課題であった。また、周囲で火災にあった場合、シェルターが防火構造でも内部は高熱になり、危険であることが課題であった。
【０００５】
本考案は、このような課題に着目してなされたもので、激流の津波や周囲の火災に遭遇した場合にも、シェルター内部の安全性が高い津波シェルターを提供することを目的とする。
【課題を解決するための手段】
【０００６】
上記目的を達成するために、本考案に係る津波シェルターは、地面に掘られた穴に設置される、出入口から人を収容可能で密閉可能なシェルター本体を、前記出入口の前方を除いて盛土により半地下状態、地下状態または地上盛土状態で覆って成ることを、特徴とする。
【０００７】
本考案に係る津波シェルターは、シェルター本体が地面に掘られた穴に設置され、出入口の前方を除いて盛土により覆われているので、激流の津波を受けたときでも、津波はシェルター本体の上方を通り過ぎ、シェルター内の安全を図ることができる。また、盛土により覆われているので、周囲が火災にあった場合にも、火災による周囲の高熱からシェルター内を守ることができる。本考案に係る津波シェルターは、シェルター本体が地面に掘られた穴に設置され、盛土により覆われているので、基礎などの構築物が不要で、施工が容易であり、施工コストの低減を図ることができる。シェルター本体は、施工条件によっては平地等に設置し盛土してもよい。
【０００８】
本考案に係る津波シェルターにおいて、前記出入口は前記シェルター本体の側面に設けられ、前記シェルター本体の天井部に上部出入口を有することが好ましい。この場合、避難の際にはシェルター本体の側面の出入口から内部に入る。津波を受けた後、津波の水位が天井部より下がったならば、天井部の上部出入口から外に脱出することができる。
【０００９】
本考案に係る津波シェルターは、前記シェルター本体の底部に側面より外側に突出する張出部を有することが好ましい。この場合、地下水などで浮力が大きいときでも、張出部があるため、その上に被さる盛土によりシェルター本体は上から押さえられ、浮き上がるのを抑えられる。
【考案の効果】
【００１０】
本考案によれば、激流の津波や周囲の火災に遭遇した場合にも、シェルター内部の安全性が高い津波シェルターを提供することができる。
【図面の簡単な説明】
【００１１】
【図１】本考案の実施の形態の津波シェルターの出入口付近を示す斜視図である。
【図２】図１の津波シェルターのシェルター本体を示す斜視図である。
【図３】図１の津波シェルターの出入口付近を正面側上方から見た斜視図である。
【図４】本考案の他の実施の形態の津波シェルターの出入口付近を示す斜視図である。
【考案を実施するための形態】
【００１２】
以下、図面に基づき本考案の実施の形態について説明する。
図１乃至図３は、本考案の実施の形態の津波シェルター１を示している。
図１に示すように、津波シェルター１は、シェルター本体２を盛土３により覆って成る。図２に示すように、シェルター本体２は、複数の分割ユニット１１と端部ユニット１２と基礎ユニット１３とを有している。分割ユニット１１は、矩形管状の部材であり、端面の寸法形状がそれぞれ同一である。分割ユニット１１の底部から天井部までの高さは、通常の大人の身長以上（一例で２１０ｃｍ）あることが好ましい。分割ユニット１１の１つは、天井部に上部出入口１４を有し、底部に集水ピット１５を有する。上部出入口１４は、天井部から上方に突出する管部に蓋を設けて成り、人が通り抜けることができる。集水ピット１５は、底部から下方に突出する凹部から成る。集水ピット１５と上部出入口１４との間には、水中梯子１６が設置されている。各分割ユニット１１は、端面の４つのコーナーのそれぞれ対応する位置に反対側の端面まで貫通する孔１７を有する。各分割ユニット１１は、端面で接合されている。
【００１３】
端部ユニット１２は、分割ユニット１１の端面外形と同じ大きさの矩形板材から成る。端部ユニット１２は、４つのコーナーの、各分割ユニット１１の４つの孔１７と対応する位置に貫通する孔１８を有する。端部ユニット１２は、連続した分割ユニット１１の両端の端面に接合されている。両端の端部ユニット１２とそれらに挟まれた分割ユニット１１とは、４つのコーナーの各孔１７をそれぞれ貫通するワイヤー１９により連結されている。各ワイヤー１９は、端部ユニット１２の４つの孔１８の位置で、ゴムパッキン２０、アンカープレート２１、グリップ２２を順に貫通して、各分割ユニット１１と端部ユニット１２とを緊結している。
【００１４】
各分割ユニット１１の接合部および分割ユニット１１と端部ユニット１２との接合部の内側には樹脂目地２３が設けられ、それら接合部の外側には目地２４が設けられている。端部ユニット１２には、側部出入口２５が設けられている。シェルター本体２は、側面の側部出入口２５から人を収容可能である。側部出入口２５および上部出入口１４は水密性を有し、シェルター本体２は水密的に密閉可能である。図３に示すように、端部ユニット１２の前面の、側部出入口２５を挟む両側には、端部ユニット１２と同じ高さの通路板２６が並行に設けられている。通路板２６は、側部出入口２５を有した出入口ユニット２７としてもよい。図３および図４に示すように、出入口ユニット２７は、天井を有し、端部にドア２８を有している。
【００１５】
基礎ユニット１３は、分割ユニット１１および端部ユニット１２の底部を支持する大きさの矩形板材から成る。基礎ユニット１３は、各分割ユニット１１および端部ユニット１２の下側に設置される。基礎ユニット１３の上には、敷モルタル２７が設けられる。シェルター本体２は、底部に側面より外側に突出する張出部２８を有する。張出部２８は、基礎ユニット１３の上部に配置される。シェルター本体２は、全体がコンクリート製である。シェルター本体２は、地面に掘られた穴に設置される。シェルター本体２は、通路板２６で挟まれる側部出入口２５の前方を除いて盛土３により覆われる。
【００１６】
津波シェルター１は、以下のようにして施工される。
まず、地面を１．５ｍ程度の深さで掘削し、その場所に掘削した土を仮置きする。掘削した穴に据え付け用のセメント混錬砂を敷く。次に、分割ユニット１１と端部ユニット１２と基礎ユニット１３とを搬入し、掘削した穴にシェルター本体２の下半分が地下に位置する状態で据え付ける。分割ユニット１１の孔１７および端部ユニット１２の孔１８にワイヤー１９を通し、緊結する。そして、仮置きした土をシェルター本体２の上に被せ、側部出入口２５の前方を除いて盛土３によりシェルター本体２を覆う。
【００１７】
津波シェルター１は、シェルター本体２が地面に掘られた穴に設置され、側部出入口２５の前方を除いて盛土３により覆われているので、激流の津波を受けたときでも、津波はシェルター本体２の上方を通り過ぎ、シェルター内の安全を図ることができる。また、盛土３により覆われているので、周囲が火災にあった場合にも、火災による周囲の高熱からシェルター内を守ることができる。津波シェルター１は、シェルター本体２が地面に掘られた穴に設置され、盛土３により覆われているので、基礎などの構築物が不要で、施工が容易であり、施工コストの低減を図ることができる。
津波シェルター１は、地下水などで浮力が大きいときでも、張出部２８があるため、その上に被さる盛土３によりシェルター本体２は上から押さえられ、浮き上がるのを抑えられる。
【００１８】
シェルター本体２の内部には、炭酸ガス吸着装置、酸素ボンベ、手回し充電機、バッテリー、ＬＥＤ照明器具、薬剤処理式トイレ、備蓄棚兼用２段ベッド、通信モニター、アンテナ、ＬＰガス炊き出しセット、キャンプ用品などの標準備品や、飲料水、非常食、医薬品、着替え、オムツ、生理用品、本などの備蓄品を準備しておいてもよいが、懐中電灯と緊急避難キットのみあれば十分である。
【００１９】
避難の際にはシェルター本体２の側面の側部出入口２５から内部に入る。津波を受けた後、津波の水位が天井部より下がったならば、天井部の上部出入口１４から外に脱出することができる。津波は一般に２時間で引くといわれているので、津波シェルター１により３日間凌げれば、充分である。予め準備を整えた津波シェルター１に避難した場合、３日間は生存可能である。
【００２０】
津波シェルター１は、幼稚園や保育所、公園などに築山として設置され、滑り台などの遊具が取り付けられてもよい。津波シェルター１は、半地下に設置されるため、平常時にも邪魔にならない。築山として普段から目にしていることで、小さな子供でも怖がらずに避難することができる。津波シェルター１が近くにあることで、すぐさま逃げることができる。津波シェルター１は、堅固に守られた空間のため、安心感があり、突然の地震、津波でもパニックに陥りにくい。
【００２１】
さらに、津波シェルター１は、以下の利点を有する。
１．シェルター本体２に市販の既製品を用いることができるので、設計コストをかけずに設置することができる。
２．ユニット化した規格品の組立て式とし、分割ユニット１１の個数を適宜選択することにより、サイズ、容量を自由に選択可能である。
３．ユニットは、予め工場生産により量産可能であるが、受注生産の場合にも、短期間（一例で、受注後３週間程度）で製造可能である。
４．ユニットの組立て式施工のため、クレーン１台とバックホー１台で容易に施工できる。
５．極めて短期間（一例で、着手から３日間程度）で施工可能である。
６．公園などの小規模用地でも施工可能である。
７．掘り下げた土砂を盛土に使用し場外に搬出しないので、環境への影響が少ない。
８．津波シェルター１は緊急避難施設のため、設備は市販の緊急避難用品程度の必要最小限の設備で充分である。
９．シェルター本体２に規格品を用いることにより、役所の認可の必要書類が少なくて済み、消防署に申請すれば、設置可能である。
１０．平常時には、備蓄庫や防災倉庫などに活用可能である。
【符号の説明】
【００２２】
１  津波シェルター
２  シェルター本体
３  盛土
１１  分割ユニット
１２  端部ユニット
１３  基礎ユニット
１４  上部出入口
１５  集水ピット
１６  水中梯子
１７  孔
１８  孔
１９  ワイヤー
２５  側部出入口
２６  通路板
２８  張出部
【図１】
0003193067.tif 000003
【図２】
0003193067.tif 000004
【図３】
0003193067.tif 000005
【図４】
0003193067.tif 000006